(57)【要約】【課題】スタンディングパウチの自立性を高める。【解決手段】収容される洗浄剤Ｃの上面Ｍの下方位置から、洗浄剤Ｃの上面Ｍの上方位置に渡って、幅広シール部２０が一定のシール幅で側部に形成されている。このため、スタンディングパウチ１０に洗浄剤Ｃが収容されて、その洗浄剤Ｃの上方に空間Ｓが形成された場合でも、洗浄剤Ｃの上方に形成される空間部分の剛性を強くすることができる。特に、洗浄剤Ｃと空間Ｓとの境目が折れ曲がって、スタンディングパウチ１０の上部が倒れ込むことがなく、スタンディングパウチ１０の自立性が高い。【選択図】図３
2007153424.tif 000002
【特許請求の範囲】
【請求項１】
内部に内容物が収容されて、スタンディング状態において該内容物の上方に空間が形成されるスタンディングパウチにおいて、
収容される内容物の上面の下方位置から、前記内容物の上面の上方位置に渡って、一定のシール幅で側部に形成された幅広シール部と、
前記幅広シール部より下方の側部に形成され、前記幅広シール部よりシール幅が狭い第１幅狭シール部と、
前記幅広シール部と前記第１幅狭シール部との間の側部に形成され、前記幅広シール部から前記第１幅狭シールへシール幅を移行させる移行シール部と、
を備えたことを特徴とするスタンディングパウチ。
【請求項２】
前記幅広シール部は、収容される内容物の上面の下方位置から、前記空間の高さ方向中央の上方位置に渡って、一定のシール幅で側部に形成されていることを特徴とする請求項１に記載のスタンディングパウチ。
【請求項３】
前記幅広シール部の上方の側部に設けられた開封用の切り口と、
前記切り口が設けられた側部に形成され、前記幅広シール部よりシール幅が狭い第２幅狭シール部と、
を備えたことを特徴とする請求項１又は請求項２に記載のスタンディングパウチ。
【請求項４】
前記内容物は、粉状体の洗浄剤であり、
前記洗浄剤から発生するガスを逃がすための孔が設けられたことを特徴とする請求項１〜３のいずれか１項に記載のスタンディングパウチ。
【発明の詳細な説明】
【技術分野】
【０００１】
本発明は、内容物が収容可能な自立できる袋であるスタンディングパウチに関する。
【背景技術】
【０００２】
内容物が収容可能な自立できる袋であるスタンディングパウチとしては、特許文献１に開示されるスタンディングパウチが公知である。
【０００３】
特許文献１のスタンディングパウチでは、スタンディングパウチの高さ方向中央より下方位置で最大幅となるように円弧状の幅広シール部が、スタンディングパウチの側部に形成されている。この構成によれば、店頭での陳列の際の自立保形性が向上する。
【特許文献１】特開２００２−５９９４２号公報
【発明の開示】
【発明が解決しようとする課題】
【０００４】
しかしながら、特許文献１のスタンディングパウチでは、幅広シール部の最大幅の部分から上下方向に向かって、徐々にシール幅が狭くなっている。
【０００５】
このため、特許文献１のスタンディングパウチにおいて、内部に空間が形成されると、シール幅が狭くなっている部分が折れ曲がって、スタンディングパウチの上部が倒れ込み、自立性に乏しい。これにより、スタンディングパウチの表面に印刷されたコマーシャル用等の表示も見えなくなる。
【０００６】
特に、スタンディングパウチに収容される内容物が粉状体の洗浄剤であって、その洗浄剤から発生するガスを袋の外に逃がす(袋がガスで膨れないようにする)ために極小孔を設けてあれば、内部の空気が抜けて、スタンディングパウチが平たくなりやすく、スタンディングパウチの上部の倒れ込みは甚だしい。
【０００７】
本発明は、上記事実を考慮し、自立性の高いスタンディングパウチを提供することを目的とする。
【課題を解決するための手段】
【０００８】
本発明の請求項１に係るスタンディングパウチは、内部に内容物が収容されて、スタンディング状態において該内容物の上方に空間が形成されるスタンディングパウチにおいて、収容される内容物の上面の下方位置から、前記内容物の上面の上方位置に渡って、一定のシール幅で側部に形成された幅広シール部と、前記幅広シール部より下方の側部に形成され、前記幅広シール部よりシール幅が狭い第１幅狭シール部と、前記幅広シール部と前記第１幅狭シール部との間の側部に形成され、前記幅広シール部から前記第１幅狭シールへシール幅を移行させる移行シール部と、を備えたことを特徴とする。
【０００９】
この構成によれば、内部に内容物が収容されて、スタンディング状態において該内容物の上方に空間が形成される。
【００１０】
ここで、本発明の請求項１の構成では、収容される内容物の上面の下方位置から、前記内容物の上面の上方位置に渡って、幅広シール部が一定のシール幅で側部に形成されている。
【００１１】
このため、スタンディングパウチに内容物が収容されて、その内容物の上方に空間が形成された場合でも、内容物の上方に形成される空間部分の剛性を強くすることができる。特に、内容物と空間との境目が折れ曲がって、スタンディングパウチの上部が倒れ込むことがなく、スタンディングパウチの自立性が高い。これにより、スタンディングパウチの表面に印刷されたコマーシャル用等の表示も見えやすくなる。
【００１２】
なお、幅広シール部より下方の側部には、幅広シール部よりシール幅が狭い第１幅狭シール部が形成され、幅広シール部と第１幅狭シール部との間の側部には、幅広シール部から第１幅狭シール部へシール幅を移行させる移行シール部が形成されているが、この部分には、内容物が収容されるので、シール幅が狭くても、スタンディングパウチが倒れ込みにくく、スタンディングパウチ全体の自立性を維持できる。
【００１３】
また、内容物が収容される部分では、スタンディングパウチの表面が外側へ膨らむが、内容物が収容される部分の側部に、第１幅狭シール部及び移行シール部が形成され、幅広シール部よりシール幅が狭くされているので、スタンディングパウチの表面が外側への出っ張りが少なく、スタンディングパウチの表面をフラットな状態に保てるので、スタンディングパウチの表面に印刷されたコマーシャル用等の表示も見えやすくなる。
【００１４】
本発明の請求項２に係るスタンディングパウチは、請求項１の構成において、前記幅広シール部は、収容される内容物の上面の下方位置から、前記空間の高さ方向中央の上方位置に渡って、一定のシール幅で側部に形成されていることを特徴とする。
【００１５】
この構成によれば、幅広シール部は、収容される内容物の上面より下方から、空間の高さ方向中央より上方に渡って、一定のシール幅で側部に形成されている。
【００１６】
すなわち、幅広シール部の上端が、空間の半分以上の高さまで達している。このため、内容物の上方に形成される空間部分の剛性を強くすることができ、スタンディングパウチの自立性を高められる。
【００１７】
本発明の請求項３に係るスタンディングパウチは、請求項１又は請求項２の構成において、前記幅広シール部の上方の側部に設けられた開封用の切り口と、前記切り口が設けられた側部に形成され、前記幅広シール部よりシール幅が狭い第２幅狭シール部と、を備えたことを特徴とする。
【００１８】
この構成によれば、幅広シール部の上方の側部に開封用の切り口が設けられ、その切り口が設けられた側部には、幅広シール部よりシール幅が狭い第２幅狭シール部が形成されているので、スタンディングパウチを開封しやすい。
【００１９】
本発明の請求項４に係るスタンディングパウチは、請求項１〜３のいずれか１項の構成において、前記内容物は、粉状体の洗浄剤であり、前記洗浄剤から発生するガスを逃がすための孔が設けられたことを特徴とする。
【００２０】
この構成のように、内部に収容される内容物は、粉状体の洗浄剤であり、その洗浄剤から発生するガスを逃がすための孔が設けられている場合には、スタンディングパウチの内部の空気が抜けて平たくなりやすい。
【００２１】
本発明の構成では、内容物の上方に形成される空間部分の剛性を強くすることができるで、特に、請求項４のように孔が設けられている構成において、スタンディングパウチの倒れ込みを防止する効果が高い。
【発明の効果】
【００２２】
本発明は、上記構成としたので、スタンディングパウチの自立性を高くできる。
【発明を実施するための最良の形態】
【００２３】
以下に、本発明のスタンディングパウチに係る実施形態の一例を図面に基づき説明する。
【００２４】
スタンディングパウチ１０は、その内部に内容物が収容可能であると共に、自立できる袋体である。本実施形態に係るスタンディングパウチ１０は、切断等がなされて所定の大きさにされた一枚のフィルム１２から形成される（図１の展開図参照）。
【００２５】
フィルム１２は、熱可塑性樹脂で形成され、スタンディングパウチ１０の正面側の壁面をなす正面フィルム１４と、スタンディングパウチ１０の背面側の壁面をなす背面フィルム１６と、スタンディングパウチ１０の底面をなす底面フィルム１８から構成されている。
【００２６】
このフィルム１２の長手方向中央が（図１の一点鎖線Ａ参照）、フィルム１２の短手方向に沿って山折りされると共に、正面フィルム１４と底面フィルム１８との境目（図１の一点鎖線Ｂ参照）及び背面フィルム１６底面フィルム１８との境目（図１の一点鎖線Ｂ参照）が谷折りされる。
【００２７】
折り込まれたフィルム１２の正面フィルム１４は、スタンディングパウチ１０の正面側の底部をなす部分１４Ｂが、底面フィルム１８の一部分１８Ａとシールされる。また、背面フィルム１６は、スタンディングパウチ１０の背面側の底部をなす部分１６Ｂが、底面フィルム１８の一部分１８Ｂとシールされる。さらに、正面フィルム１４は、スタンディングパウチ１０の正面側の胴部をなす部分１４Ａの側部及び上部が、スタンディングパウチ１０の背面側の胴部をなす背面フィルム１６の一部分１６Ａの側部と上部とシールされる。
【００２８】
このように、正面フィルム１４、背面フィルム１６及び底面フィルム１８がシールされることにより、図２（Ａ）に示すように、スタンディングパウチ１０が形成される。なお、図面の交差線部分は、フィルム１２がシールされる部分を示す。
【００２９】
フィルム１２のシール部分は、熱圧着されることによりシールされ、冷やされて硬化する。なお、フィルム１２の材料及びフィルム１２のシール方法は、これに限られず、公知の材料、公知のシール方法が用いてもよい。また、スタンディングパウチ１０は、一枚のフィルム１２でなく、複数のフィルムで形成されていてもよい。
【００３０】
シールされて形成されたスタンディングパウチ１０は、図２（Ｂ）に示すように、底面フィルム１８の中央部の未シール部分１８Ｃが、広げられてスタンディングパウチ１０の底面となり、正面フィルム１４の未シール部分１４Ｃ及び背面フィルム１６の未シール部分１６Ｃが外側へ円弧状に膨出して、スタンディングパウチ１０の胴部となる。また、谷折りされた正面フィルム１４と底面フィルム１８との境目Ｂ（図１の一点鎖線Ｂ参照）及び谷折りされた背面フィルム１６底面フィルム１８との境目Ｂ（図１の一点鎖線Ｂ参照）が接地して、スタンディングパウチ１０は自立可能となる。
【００３１】
スタンディングパウチ１０の内部には、内容物としての粉状体の洗浄剤Ｃが収容される。スタンディングパウチ１０に収容される洗浄剤Ｃは、例えば、スタンディングパウチ１０の底部及び側部のみを最初にシールして上部を開放し、開放された上部から内部へ洗浄剤Ｃを充填してから、スタンディングパウチ１０の上部をシールすることにより、スタンディングパウチ１０の内部に収容される。
【００３２】
本実施形態では、スタンディングパウチ１０の内部空間の一部を満たす洗浄剤Ｃが収容され、スタンディングパウチ１０は、洗浄剤Ｃが収容されるとスタンディング状態において、洗浄剤Ｃの上方に空間Ｓが形成される。なお、スタンディングパウチ１０に収容される内容物としては、粉状体、液体、固体、その他のものでも構わない。
【００３３】
また、図２に示すように、スタンディングパウチ１０の上部、かつ、スタンディングパウチ１０の両側部には、スタンディングパウチ１０を開封するための切り口３０が形成されている。さらに、スタンディングパウチ１０の上部の表面には、洗浄剤Ｃから発生するガスを逃がすための極小孔３２が形成されている。
【００３４】
なお、スタンディングパウチ１０の横幅（フィルム１２の短手方向長さ）が、例えば、１３５ｍｍとされ、スタンディングパウチ１０の高さ方向長さ（フィルム１２の長手方向長さ）が、例えば、１９５ｍｍとされている。
【００３５】
ここで、スタンディングパウチ１０の側部に形成されたシール部について説明する。
【００３６】
スタンディングパウチ１０の両側部には、図３（Ａ）、（Ｂ）に示すように、収容される洗浄剤Ｃの上面Ｍの下方位置から洗浄剤Ｃの上面Ｍの上方位置に渡って一定のシール幅にされた幅広シール部２０が形成されている。この幅広シール部２０は、ストレート形状をしており、スタンディングパウチ１０の側部に形成されたシール部（幅広シール部２０、後述の第１幅狭シール部２２及び移行シール部２４）のうちで、シール幅が最大幅となっている。
【００３７】
幅広シール部２０の横幅は、スタンディングパウチ１０の横幅（フィルム１２の短手方向長さ）に対して、９％〜１３％の幅であるのが望ましく、具体的には、スタンディングパウチ１０の横幅１３５ｍｍに対して、例えば、１５ｍｍとされる。
【００３８】
幅広シール部２０の横幅が、スタンディングパウチ１０の横幅に対して、９％未満であると、スタンディングパウチ１０内の空間部分の剛性を高い状態で保つのが難しく、幅広シール部２０の横幅が、スタンディングパウチ１０の横幅に対して、１３％を超えると、スタンディングパウチ１０の内部に内容物を充填する際に、上部開口が狭くなり、内容物の充填がしにくくなる。
【００３９】
幅広シール部２０の下端の位置は、収容される洗浄剤Ｃの高さ方向長さの１／２より上方の位置とされ、望ましくは、収容される洗浄剤Ｃの高さ方向長さの３／４より上方の位置とされ、より望ましくは、収容される洗浄剤Ｃの高さ方向長さの９／１０より上方の位置とされる。
【００４０】
幅広シール部２０の上端の位置は、形成される空間Ｓの高さ方向中央の上方位置（空間Ｓの高さ方向長さの１／２より上方の位置）とされ、望ましくは、形成される空間Ｓの高さ方向長さの３／４より上方の位置とされ、より望ましくは、形成される空間Ｓの上端の位置とされる。
【００４１】
幅広シール部２０の高さ方向長さは、スタンディングパウチ１０の高さ方向長さ１９５ｍｍに対して、例えば、１１５ｍｍとされる。
【００４２】
幅広シール部２０より下方のスタンディングパウチ１０の両側部には、幅広シール部２０よりシール幅が狭い第１幅狭シール部２２が形成されている。
【００４３】
第１幅狭シール部２２の横幅は、スタンディングパウチ１０の横幅（フィルム１２の短手方向長さ）に対して、２％〜７％の幅とされ、スタンディングパウチ１０の横幅１３５ｍｍに対して、例えば、７.５ｍｍとされる。
【００４４】
第１幅狭シール部２２の横幅が、スタンディングパウチ１０の横幅に対して、２％未満であると、シール強度が弱くなり、第１幅狭シール部２２の横幅が、スタンディングパウチ１０の横幅に対して、７％を超えると、第１幅狭シール部２２が形成された位置においてスタンディングパウチ１０の表面が外側へ膨出し、スタンディングパウチ１０の表面がフラットな状態を保てなくなるので、スタンディングパウチの表面に印刷されたコマーシャル用等の表示が見えにくくなる。
【００４５】
幅広シール部２０と第１幅狭シール部２２との間の両側部には、幅広シール部２０から第１幅狭シール部２２へシール幅を移行させる移行シール部２４が形成されている。
【００４６】
移行シール部２４は、幅広シール部２０から第１幅狭シール部２２へシール幅を徐々に狭めるように形成され、幅広シール部２０から第１幅狭シール部２２へ傾斜している。この傾斜は、本実施形態では直線状であるが、曲線状であってもよい。
【００４７】
移行シール部２４の高さ方向長さは、スタンディングパウチ１０の高さ方向長さ１９５ｍｍに対して、例えば、３７ｍｍとされている。
【００４８】
なお、第１幅狭シール部２２の高さ方向長さ及び移行シール部２４の高さ方向長さは、変えてもよい。具体的には、図４に示すように、ストレート形状の第１幅狭シール部２２の高さ方向長さを、例えば、１５ｍｍとし、移行シール部２４の高さ方向長さを、例えば、２２ｍｍとして、幅広シール部２０から第１幅狭シール部２２までの移行シール部２４の傾斜をきつくしてもよい。
【００４９】
また、図５に示すように、ストレート形状の第１幅狭シール部２２の高さ方向長さを、例えば、２９ｍｍとし、移行シール部２４の高さ方向長さを、例えば、８ｍｍとして、さらに、幅広シール部２０から第１幅狭シール部２２までの傾斜をきつくしてもよい。
【００５０】
また、図６に示すように、スタンディングパウチ１０を開封するための切り口３０が設けられている側部に、幅広シール部２０よりシール幅が狭い第２幅狭シール部２６を形成してもよい。これにより、スタンディングパウチ１０が開封しやすくなる。
【００５１】
第２幅狭シール部２６の横幅は、スタンディングパウチ１０の横幅１３５ｍｍに対して、例えば、７.５ｍｍとされ、第１幅狭シール部２２と同一幅とされている。第２幅狭シール部２６の高さ方向長さは、スタンディングパウチ１０の高さ方向長さ１９５ｍｍに対して、例えば、２５ｍｍとされている。なお、幅広シール部２０の高さ方向長さは、９０ｍｍとされている。
【００５２】
なお、本実施形態では、スタンディングパウチ１０の両側部に、切り口３０が形成されていたが、スタンディングパウチ１０を開封する開封機構としては、例えば、幅広シール部２０に微小な傷を加工し、幅広シール部２０の側縁であれば、いずれからでも開封可能とされた開封機構であってもよい。この開封機構であれば、第２幅狭シール部２６を形成せずに、収容される洗浄剤Ｃの上面Ｍから上方全体を幅広シール部２０とする構成でもよく、収容される洗浄剤Ｃの上面Ｍから上方全体を幅広シール部２０としても、スタンディングパウチ１０の開封性は維持できる。  次に、上記の実施形態について作用を説明する。
【００５３】
本実施形態に係るスタンディングパウチ１０によれば、粉状体の洗浄剤Ｃが内部に収容されて、自立して、販売の際の陳列、運搬、保管に供する。
【００５４】
ここで、本実施形態の構成では、収容される洗浄剤Ｃの上面Ｍの下方位置から、その洗浄剤Ｃの上面Ｍの上方位置に渡って、シール幅が最大幅の幅広シール部２０が側部に形成されている。
【００５５】
このため、スタンディングパウチ１０に洗浄剤Ｃが収容されて、その洗浄剤Ｃの上方に空間Ｓが形成された場合でも、洗浄剤Ｃの上方に形成される空間部分の剛性を強くすることができる。洗浄剤Ｃと空間Ｓとの境目が折れ曲がって、スタンディングパウチ１０の上部が倒れ込むことがなく、スタンディングパウチ１０の自立性が高い。
【００５６】
特に、本実施形態は、洗浄剤Ｃから発生するガスを逃がすための極小孔３２が形成されて、スタンディングパウチ１０の内部の空気が抜けて平たくなりやすい構成であるため、スタンディングパウチ１０の倒れ込みを防止する効果が高い。これにより、スタンディングパウチ１０の表面に印刷されたコマーシャル用等の表示も見えやすくなる。
【００５７】
また、幅広シール部２０より下方の側部には、幅広シール部２０よりシール幅が狭い第１幅狭シール部２２が形成され、幅広シール部２０と第１幅狭シール部２２との間の側部には、幅広シール部２０から第１幅狭シール部２２へシール幅を移行させる移行シール部２４が形成されているが、この部分には、洗浄剤Ｃが収容されるので、シール幅が狭くても、スタンディングパウチ１０が倒れ込みにくく、スタンディングパウチ１０全体の自立性を維持できる。
【００５８】
また、洗浄剤Ｃが収容される部分では、スタンディングパウチ１０の表面が外側へ膨らむが、洗浄剤Ｃが収容される部分の側部に、第１幅狭シール部２２及び移行シール部２４が形成され、幅広シール部２０よりシール幅が狭くされているので、スタンディングパウチ１０の表面が外側への出っ張りが少なく、スタンディングパウチ１０の表面をフラットな状態に保てるので、スタンディングパウチ１０の表面に印刷されたコマーシャル用等の表示も見えやすくなる。
【００５９】
なお、本発明は、上記の実施形態に限るものではなく、本発明の要旨を逸脱しない限りにおいて、種々の変形、変更、改良が可能である。
【図面の簡単な説明】
【００６０】
【図１】図１は、本発明の実施形態に係るスタンディングパウチの展開図である。
【図２】図２は、本実施形態に係るスタンディングパウチの斜視図である。（Ａ）は、スタンディングパウチの全体を示す図であり、（Ｂ）は、スタンディングパウチの底部を示す図である。
【図３】図３（Ａ）は、本実施形態に係るスタンディングパウチの正面図である。図３（Ｂ）は、図３（Ａ）におけるＢ−Ｂ線断面図である。
【図４】図４は、本実施形態に係るスタンディングパウチにおいて、第１幅狭シール部の高さ方向長さを変えた変形例を示す図である。
【図５】図５は、本実施形態に係るスタンディングパウチにおいて、第１幅狭シール部の高さ方向長さを変えた変形例を示す図である。
【図６】図６は、本実施形態に係るスタンディングパウチにおいて、切り口が設けられた側部に第２幅狭シール部を形成した図である。
【符号の説明】
【００６１】
１０   スタンディングパウチ
２０   幅広シール部
２２   第１幅狭シール部
２４   移行シール部
２６   第２幅狭シール部
３０   切り口
３２   極小孔
Ｃ     洗浄剤（内容物）
Ｓ     空間
【図１】
2007153424.tif 000003
【図２】
2007153424.tif 000004
【図３】
2007153424.tif 000005
【図４】
2007153424.tif 000006
【図５】
2007153424.tif 000007
【図６】
2007153424.tif 000008